(57)【特許請求の範囲】
【請求項１】
遊技機枠の遊技盤収納構造体と、遊技盤収納構造体の裏面に設けられた払出機構と、払出機構に連結されて払出機構から排出される球を上方から下方に導く連結樋と、連結樋の下端に設けられた連結樋の球出口部と、球出口部に設けられた下ストッパと、球出口部の外側に上下移動可能に取り付けられた筒状の結合部材と、結合部材に設けられ下ストッパに上方から衝突することによって結合部材の下方への移動を規制する上ストッパと、遊技盤収納構造体の裏面に設けられた縦樋機構と、縦樋機構の球入口部とを備え、球出口部と球入口部とが球出口部から排出される球を球入口部に誘導するように上下方向で向かい合わせられた状態において、結合部材が球出口部と球入口部とに渡って球出口部の外側と球入口部の外側とを被覆し、上ストッパと下ストッパとが互いに衝突したことによって、結合部材がそれ以上下方に移動しないで球出口部と球入口部とを結合したことを特徴とする遊技機の球払出装置。  
【請求項２】
結合部材が２つの半割り部材により形成され、２つの半割り部材が球出口部の横方向から球出口部の周囲を囲むように互いに向かい合わされて半割り部材のそれぞれの両端が突き合わされ、割り部材のそれぞれの両端に設けられた締結部同士が止ねじで締結されたことによって、結合部材が球出口部の外側に上下移動可能に取り付けられたことを特徴とする請求項１に記載の遊技機の球払出装置。
【発明の詳細な説明】
【技術分野】
【０００１】
本発明は、連結、取外しの容易な、払出機構の球出口部と縦樋機構の球入口部との連結構造を備えた球払出装置に関する。
【背景技術】
【０００２】
遊技機の球払出装置は、遊技機枠の裏側に設けられた払出機構から払い出された球を縦樋機構経由で遊技機枠の前面に設けられた球皿に排出するものである。しかしながら、遊技機枠の裏側において、払出機構から払い出された球を縦樋機構で球皿に誘導する構造であるものの、払出機構の球出口部と縦樋機構の球入口部との連結構造が、実用的でないという欠点がある。
【特許文献１】特開２００２−８５７９３号公報
【発明の開示】
【発明が解決しようとする課題】
【０００３】
発明が解決しようとする問題点は、払出機構と縦樋機構とを別々に形成する構成でなく、それらを互いに連結する構成となっていない点である。
【課題を解決するための手段】
【０００４】
本発明に係る遊技機の球払出装置は、遊技機枠の遊技盤収納構造体と、遊技盤収納構造体の裏面に設けられた払出機構と、払出機構に連結されて払出機構から排出される球を上方から下方に導く連結樋と、連結樋の下端に設けられた連結樋の球出口部と、球出口部に設けられた下ストッパと、球出口部の外側に上下移動可能に取り付けられた筒状の結合部材と、結合部材に設けられ下ストッパに上方から衝突することによって結合部材の下方への移動を規制する上ストッパと、遊技盤収納構造体の裏面に設けられた縦樋機構と、縦樋機構の球入口部とを備え、球出口部と球入口部とが球出口部から排出される球を球入口部に誘導するように上下方向で向かい合わせられた状態において、結合部材が球出口部と球入口部とに渡って球出口部の外側と球入口部の外側とを被覆し、上ストッパと下ストッパとが互いに衝突したことによって、結合部材がそれ以上下方に移動しないで球出口部と球入口部とを結合したことを特徴とする。結合部材が２つの半割り部材により形成され、２つの半割り部材が球出口部の横方向から球出口部の周囲を囲むように互いに向かい合わされて半割り部材のそれぞれの両端が突き合わされ、割り部材のそれぞれの両端に設けられた締結部同士が止ねじで締結されたことによって、結合部材が球出口部の外側に上下移動可能に取り付けられたことも特徴とする。
【発明の効果】
【０００５】
本発明に係る遊技機の球払出装置によれば、球出口部に上下移動可能に取り付けられた結合部材を上下に移動するだけで、球出口部と球入口部との結合及び結合解除を行うことができ、球出口部と球入口部との結合作業及び結合解除作業の作業性に優れる。例えば、縦樋機構内で球噛みを生じたような場合には、結合部材を上方に移動するだけで結合を解除でき、縦樋内の球噛み解除作業を容易に行える。結合部材を２つの半割り部材により形成して、２つの半割り部材を球出口部の横方向から球出口部の周囲を囲むように互いに向かい合わせて締結部同士を止ねじで締結することによって球出口部に結合部材を取り付けるようにすれば、球出口部を複数の部品に分割して形成する必要がなくなり、球出口部の構成を簡単にできる。
【発明を実施するための最良の形態】
【０００６】
最良の形態１
図１−図６は、発明を実施するための最良の形態１である。図１は、球払出装置５０の球出口部６７と球入口部７０との結合の仕方を示す。図２は、球払出装置５０を分解して示す。図３は、遊技盤収納構造体５１の裏面７６において球払出装置５０の球出口部６７と球入口部７０とが分離している状態を示す。図４は、遊技盤収納構造体５１の裏面７６において球払出装置５０の球出口部６７と球入口部７０とが結合された状態を示す。図５は、上ストッパ５９を備えた結合部材５８と球出口部６７を備えた払出機構５５の連結樋５６とを分解した状態及び結合した状態を示す。図６は、パチンコ機における遊技機枠１Ａと遊技盤４０とを分解して示す。この明細書において、「前」、「後」、「裏」、「左」、「右」、「上」、「下」の方向は、図６の状態に遊技機枠および遊技盤を置き、それらを前側から見た場合に特定される方向である。「後」と「裏」とは同じ方向である。
【０００７】
図２を参照し、球払出装置５０について説明する。球払出装置５０は、遊技盤収納構造体５１、タンク機構５２、縦樋機構５３を備える。タンク機構５２は、タンク構造体５４、払出機構５５、連結樋５６、下ストッパ５７、結合部材５８、上ストッパ５９を備える。縦樋機構５３は、払出通路６０、球抜通路６１を備える。
【０００８】
タンク機構５２は、タンク構造体５４の上方に開口した箱形の球貯蔵室６２に貯蔵された球を、払出機構５５の動作によって、球貯蔵室６２から払出球検出機構６３に１個ずつ払い出し、払い出された球を払出球検出機構６３の払出球検出器６４で電気的に検出し、検出された球を連結樋５６から下方に排出する構造である。縦樋機構５３は、タンク機構５２の連結樋５６から排出された球を、払出通路６０に流したり、球抜通路６１に流したりする構造である。連結樋５６から払出通路６０に排出された球は、払出通路６０及び連絡通路６０ａ及び後述の払出球中継樋２７を経由して遊技機枠１Ａの前側に設けられた球皿構造体６の球皿部３１に払い出される。連結樋５６から球抜通路６１に排出された球は、球抜通路６１及び連絡通路６１ａを経由して遊技機枠１Ａの裏側から遊技機枠１Ａの設置される遊技機設置構造体の補球機構に排出される。
【０００９】
連結樋５６は、払出機構５５から排出される球を上方から下方にそれぞれ個別に導く４つの球通路を備え、４つの球通路の球入口６５は、前後に並ぶように設けられた２つの球入口６５の組が２組左右に並ぶように設けられる（図５参照）。連結樋５６の４つの球通路の球出口６６は、前後に並ぶように設けられた２つの球出口６６の組が２組左右に並ぶように設けられる。連結樋５６の４つの球通路の球出口６６が前後左右に並ぶように設けられて連結樋５６の球出口部６７が形成される。縦樋機構５３の払出通路６０は、連結樋５６から排出される球を上方から下方にそれぞれ個別に導く２つの球通路を備える。２つの球通路の縦樋払出入口６８は前後に並ぶように設けられる。縦樋機構５３の球抜通路６１は、連結樋５６から排出される球を上方から下方にそれぞれ個別に導く２つの球通路を備える。２つの球通路の縦樋球抜入口６９は前後に並ぶように設けられる。払出通路６０の前後２つの縦樋払出入口６８と球抜通路６１の前後２つの縦樋球抜入口６９とが左右に並ぶように設けられて縦樋機構５３の球入口部７０が形成される。
【００１０】
タンク構造体５４は、前壁７１、中継端子収納設置部７２、球貯蔵室６２を備える。前壁７１には、ねじ挿入孔７３が設けられる。ねじ挿入孔７３は、タンク機構５２を遊技盤収納構造体５１に取り付けるためのタッピングスクリューのような止ねじ７４を挿入する貫通孔である。タンク構造体５４が遊技盤収納構造体５１の中央開口部７５の真上の右側に配置されて、止ねじ７４が前壁７１のねじ挿入孔７３に裏側から挿入されて遊技盤収納構造体５１の裏面７６に形成された取付孔７７に締結されることによって、タンク機構５２が遊技盤収納構造体５１の裏面７６に取り付けられる。球貯蔵室６２の底壁７８には、取込部７９が、球貯蔵室６２の右側で前後方向中央部に設けられる。取込部７９は、左右に横長であって、球貯蔵室６２の底壁７８から下方に窪む窪みである。払出機構５５は、ステップモータからなる払出モータ８０、螺旋払出体８１を備える。払出モータ８０のモータケースが、タンク構造体５４の右外側面に取り付けられる。螺旋払出体８１は、丸棒の外周面に螺旋体８２を備える。螺旋体８２は、螺旋払出体８１の丸棒の軸心方向に球を１個ずつ分離する間隔で、当該丸棒の外周面から径方向外側に螺旋形状に突出する。螺旋払出体８１の丸棒の軸心が左右方向に向けられた格好で、螺旋体８２が取込部７９に回転可能に収納される一方、螺旋払出体８１における螺旋体８２の不在な丸棒の両端部が取込部７９を囲む左右側壁を取込部７９の内外に回転可能に貫通する。螺旋払出体８１における取込部７９の右側壁の外側に突出した丸棒の端部が、払出モータ８０のモータ軸のような出力軸に結合される。この結合によって、払出モータ８０の出力軸が回転すると、螺旋払出体８１も一緒に回転する。球貯蔵室６２の底壁７８における球の接触する底面は、球が周囲から取込部７３に向けて流れる斜面を形成する。したがって、球貯蔵室６２に貯蔵された球は、球貯蔵室６２の底面から取込部７９に流れ込む。この取込部７９に流れ込んだ球は、取込部７９の前後壁と螺旋払出体８１との間に前後２条となって螺旋体８２の隙間に１個ずつ分離されつつ取り込まれる。取込部７９の左壁には、１個の球の直径より小さい球噛防止用の退避孔８３が設けられる。
【００１１】
取込部７９の底部の右側部には図外の球排出口が４つ設けられる。球排出口は、螺旋体８２における右側部の１つ隙間の真下に位置して前後に２つ設けられ、さらに螺旋体８２における右側部の２つ隙間の真下に位置して前後に２つ設けられる。また、螺旋体８２における右側部の１つ隙間の真下に位置して設けられた前後２つの球排出口の組、あるいは、螺旋体における右側部の２つ隙間の真下に位置して設けられた前後２つの球排出口の組のうちのいずれか一方の組の前後２つの球排出口を塞ぐ図外の球出口切換機構が設けられる。払出通路６０および球抜通路６１は、連結樋５６から前後２条に分かれて排出される球を個別に通すように、隔壁で前後に区分された構造であるとともに、上部から下部に行くにしたがって、前後方向に蛇行する構造である。払出通路６０の下端部には満タン検出器８５が設けられる。球貯蔵室６２の底壁７８の外側面には、球貯蔵室６２に貯蔵された球数が残り少ない球切れ状態であることを検出する球切れ検出器８６が設けられる。球切れ検出器８６は、球貯蔵室６２に貯蔵された球数が残り少ない球切れ状態であることを検出すると、電気的な球切れ検出信号を後述の主制御装置４６に出力する。すると、主制御装置４６が遊技店の営業を管理する図外のホールコンピュータに補給信号を出力し、ホールコンピュータが遊技機設置構造体における補給機構を駆動し、補給機構が球貯蔵室６２に球を補給する。中継端子収納設置部７２はタンク構造体５４における球貯蔵室６２よりも前側に形成され、中継端子収納設置７２内にはタンク中継端子基板８７が設けられる。タンク中継端子基板８７には、払出球検出器６４、球出口切換機構の駆動ソレノイド、満タン検出器８５、球切れ検出器８６のそれぞれからの配線を接続するコネクタ８８が設けられる。
【００１２】
下ストッパ５７は、連結樋５６における球出口部６７の下端縁の外周より外側に突出するように設けられる。結合部材５８は、連結樋５６の外側に上下移動可能に取り付けられた筒状体である、上ストッパ５９は、結合部材５８の上縁から内側に突出するよう設けられる。
【００１３】
図５のａ図に示すように、連結樋５６は、外側部材９０と内側部材９１とが組み合わされて形成される。外側部材９０は、上部、右端、下部が開放された構造であり、前後に対向する前壁９２の右端下部９３と後壁９４の右端下側部９５とを互いに近づく方向に撓ませた状態で、結合部材５８の筒孔９６に通すことにより、結合部材５８を外側部材９０の外側に位置させ、そして、前壁９２と後壁９４との間に上方から内側部材９１を嵌め込んで、止ねじ９７が外側部材９０の前壁９２と後壁９４とに形成された貫通孔９８に外側から挿入され、内側部材９１に形成された取付孔９９に締結される。これにより、図５のｂ図に示すように、連結樋５６が形成されるとともに球出口部６７の外側に結合部材５８が上下方向に移動可能で、かつ、結合部材５８の上ストッパ５９と球出口部６７の下ストッパ５７とが衝突することによって、結合部材５８が連結樋５６より下方に抜けないように取付けられる。即ち、下端に球出口部６７を備えた連結樋５６が、外側部材９０と内側部材９１とにより形成され、環状の結合部材５８の筒孔９６に外側部材９０を通してから外側部材９０内に内側部材９１を嵌め込んで外側部材９０と内側部材９１とを止ねじ９７で結合して連結樋５６を形成するによって、結合部材５８が連結樋５６の球出口部６７の外側に上下移動可能に取り付けられる。つまり、筒状の結合部材５８を、球出口部６７の外側に上下移動可能に、かつ、球出口部６７から脱落しないように容易に取り付けることができる。
【００１４】
図２に戻って、縦樋機構５３の上下の中間部分の前面より前方に突出して左方に延長する前係止片１１１が設けられる。遊技盤収納構造体５１の右側部１１２の裏面１１３には左右方向に貫通する貫通孔よりなる前係止部１１４が形成される。縦樋機構５３の払出通路６０の下端部の左側面より左方に突出して下方に延長する下係止片１１５が設けられる。遊技盤収納構造体５１の右側部１１２の下端部の裏面１１３より裏側に突出して上下に延長する係止板１１６には左右に貫通する貫通孔よりなる下係止部１１７が形成される。
【００１５】
図３に示すように縦樋機構５３の上部を右側に傾けた状態から、図４に示すように下係止片１１５を下係止部１１７に通して縦樋機構５３を立てるとともに前係止片１１１を前係止部１１４に係止することで縦樋機構５３を遊技盤収納構造体５１の裏面７６に取り付ける。この際に、図１のａ図に示すように、払出機構５５に連結された連結樋５６の球出口部６７と縦樋機構５３の球入口部７０とが上下に向き合うように位置を決める。即ち、連結樋５６の球出口部６７から排出される球を縦樋機構５３の球入口部７０に誘導するように上下方向で向かい合わせる。球出口部６７と球入口部７０とを上下方向で向かい合わせた状態において、図１のｂ図に示すように、結合部材５８を下方に落とすことによって、結合部材５８が連結樋５６と球出口部６７と縦樋機構５３の球入口部７０とに渡ってこれらの外側とを被覆し、上ストッパ５９と下ストッパ５７とが互いに衝突したことによって、結合部材５８がそれ以上下方に移動しないで球出口部６７と球入口部７０とを結合する。以上により、球払出装置５０が形成される。
【００１６】
縦樋機構５３の上部を右側に傾けた状態から図１のａ図の矢印Ａのように縦樋機構５３を回転させて立てることによって球出口部６７と球入口部７０とを衝突させずに上下方向で向かい合わせることができるように、球入口部７０と球出口部６７との間には隙間Ｈが設定される。この隙間Ｈは、球Ｐの１個の直径より短い長さに形成される。また、縦樋機構５３の球入口部７０の内径Ｂ２が、連結樋５６の球出口部６７の内径Ｂ１と同じか大きく形成される。以上により、結合部材５８による球出口部６７と球入口部７０との結合後において、球Ｐが連結樋５６から球入口部７０に移動する過程での球入口部７０への引っかかりを防止でき、球出口部６７から縦樋機構５３の球通路内に円滑に球Ｐを排出できるという利点がある。縦樋機構５３の球入口部７０の外径Ｄ２と連結樋５６の球出口部６７の外径Ｄ１とは同じに形成されても異なるように形成されてもよいが、結合部材５８の内径Ｄ３は外径Ｄ１；Ｄ２のうち大きい方の径より大きい。
【００１７】
最良の形態１による球払出装置５０によれば、払出機構５５に連結された連結樋５６の球出口部６７に上下移動可能に取り付けられた結合部材５９を上下に移動するだけで、球出口部６７と球入口部７０との結合及び結合解除を行うことができる。球出口部６７と球入口部７０とを止ねじで結合する構成ではないので、止ねじを締結したり緩めたりするためのドライバーのような工具を必要とせずに、球出口部６７と球入口部７０との結合及び結合解除の行える構成であり、球出口部６７と球入口部７０との結合作業及び結合解除作業の作業性に優れる。例えば、縦樋機構５３内で球噛みを生じたような場合には、結合部材５８を上方に移動するだけで球出口部６７と球入口部７０との結合を解除でき、縦樋機構５３内の球噛み解除作業を容易に行える。また、遊技盤収納構造体５１の裏面７６に取り付けられたタンク機構５２を取りはずすことなく、縦樋機構５３を個別に取り外すことができる。これに対して、例えば、連結樋の球出口部と縦樋機構の球入口部とが互いに嵌め合わされて結合するような構造では、タンク機構か縦樋機構のうちのいずれかを取り外して、球出口部と球入口部との嵌め合わせを解除しなければならず、作業が面倒となる。つまり、遊技盤収納構造体の裏面からタンク機構と縦樋機構とを共に取り外してからでなければ、球出口部と球入口部との結合を解除できないので、不便である。
【００１８】
図４を参照し、遊技機としてのパチンコ機の遊技機枠１Ａの裏機構について説明する。球払出装置５０のタンク機構５２が、遊技機枠１Ａの中央開口部７５の真上の右側に配置されて遊技盤収納構造体５１の裏面７６に取り付けられ、縦樋機構５３が中央開口部７５の右側に配置されて遊技盤収納構造体５１の裏面７６に取り付けられ、結合部材５８によって連結樋５６の球出口部６７と縦樋機構５３の球入口部７０とが結合される。遊技盤収納構造体５１における後述の盤棚２２より下方に延設された前壁２３の裏面には、電源装置１２１と発射払出制御装置１２２とが取り付けられる。
【００１９】
このように遊技盤収納構造体５１の裏面７６に取り付けられた球払出装置５０によれば、球貯蔵室６２から縦樋機構５３の払出通路６０及び球抜通路６１への球通路が形成される。球払出装置５０において、球貯蔵室６２に球が供給されると、球貯蔵室６２に入った球は、底壁７８の球が接触する底面の傾斜で取込部７９の方向に案内されて取込部７０に流れ込む。この取込部７９に入った球は、螺旋払出体８１で前後に分けられるとともに、螺旋体８２の隙間に分離されて１個ずつ取り込まれる。その状態において、螺旋払出体８１が払出モータ８０で正転方向に駆動されると、螺旋払出体８１が螺旋体８２の隙間に分離されて取り込まれ球を取込部７９の内部を左側から右側に移動させ、取込部７９の内部における右端部に移動した球が前後２条に分かれて下方に落下していずれか一方の組の前後２つの球排出口から別々に排出される。螺旋払出体８１の前側に分離されている球と螺旋払出体８１の後側に分離されている球とは、いずれか一方の組の前後２つの球排出口から同時に排出されることはなく、２つの球排出口から螺旋払出体８１の半回転だけずれて互い違いに排出される。球排出口から排出された球は、払出球検出機構６３に取り込まれる。払出球検出機構６３は、球出口切換機構によりいずれか一方の組の前後２つの球排出口から前後２条に分かれて排出される球を、払出球検出機構６３に装着された払出球検出器６４に前後に形成された図外の球検出孔を別々に通過させる。払出球検出器６４は、球検出孔を通過する球を電気的に検出するごとに払出球検出信号を主制御装置４６および発射払出制御装置１２２に出力する。球検出孔を通過した球は、縦樋払出入口６８に繋がる連結樋５６を経由して払出通路６０に排出される。球出口切換機構により他方の組の前後２つの球排出口から前後２条に分かれて排出される球は、縦樋球抜入口６９に繋がる連結樋５６を経由して球抜通路６１に排出される。
【００２０】
球切れ検出器８６は、球貯蔵室６２に貯蔵された球数が残り少ない球切れ状態であることを検出すると、電気的な球切れ検出信号を主制御装置４６に出力する。すると、主制御装置４６が遊技店の営業を管理するホールコンピュータに補給信号を出力し、ホールコンピュータが遊技機設置構造体における補給機構を駆動し、補給機構が球貯蔵室６２に球を補給する。満タン検出器８５は、球皿部３１から払出球中継樋２７および払出通路６０の満タン検出器８５まで球が満杯となると、主制御装置４６による賞球制御を停止するために、満タン検出器８５が満杯となった球でオン動作して電気的な満杯検出信号を主制御装置４６に出力する
【００２１】
図６を参照し、遊技機としてのパチンコ機における遊技機枠１Ａと遊技盤４０との構造について説明する。遊技機枠１Ａは、固定枠２の前側に可動枠３を左側のヒンジ４で横方向に片開き可能に取り付け、可動枠３の前側に扉５および球皿構造体６を左側のヒンジ７で横方向に片開き可能に取り付けた構造である。固定枠２は、パチンコ店の図外の島と呼ばれる遊技機設置構造体に取り付けるための外枠とも呼ばれ、前後方向に貫通した縦長な長方形の空間を囲む額縁形状である。可動枠３は、遊技盤４０を取り付ける前枠とも呼ばれ、前後方向に貫通した縦長な長方形の空間を囲む額縁形状の可動枠本体８から遊技盤収納構造体５１を内部に延設する。可動枠本体８の右縦片部には、施錠装置１０と複数のロック機構１１；１２；１３およびロック解除操作体１４が設けられる。遊技盤収納構造体５１は、遊技盤４０を装着する前側に開口した盤収納室１５の背壁１６に前後方向に貫通する中央開口部７５を備える。背壁１６の左側部には、盤押圧体１８および盤受ストッパ１９が設けられる。背壁１６の右側部には、盤ロック機構２０が設けられる。盤ロック機構２０は、背壁１６から前側に突出する円筒状の台座の中心にロック操作体２１を回転可能に備える。ロック操作体２１は、台座から前側に突出した操作軸の端部に固定された横長な形態である。盤収納室１５の下縁部は、遊技盤４０を搭載する左右方向に平坦な面としての盤棚２２を形成する。盤棚２２から下方に延設された遊技盤収納構造体５１における前壁２３の前面には、発射機構２４、発射レール２５、ファール球取入口２６、払出球中継樋２７が設けられる。発射レール２５は、球皿構造体６の球供給口３４から供給された１個の球を受け取る。発射機構２４は、電力の供給と遮断とを交互に受けることによって、球皿部３１から発射レール２５に供給された球を盤収納室１５に取り付けられた遊技盤４０の遊技領域４１に向けて１個ずつ発射する。発射レール２５は、発射機構２４から発射された球を、遊技盤４０における球発射通路４４の入口に誘導する。払出球中継樋２７は、可動枠３の裏側に設けられた球払出装置５０から払い出された球を球皿構造体６の球取入口３３に排出する。前壁２３の裏面には機外排出樋２８が設けられる。機外排出樋２８は、遊技盤４０の裏側から排出された球を受け取って島と呼ばれる遊技機設置構造体における捕球機構に排出する。扉５は、パネル枠とも呼ばれ、前後方向に貫通する窓２９を囲む額縁形状である。扉５の裏面には、前面パネル３０が窓２９を覆うように扉５の裏側から取り付けられる。前面パネル３０は、ガラスまたは合成樹脂などの材料からなる光を透過する性質の有る板状である。球皿構造体６の前面には、球皿部３１および発射操作機構３２が設けられる。球皿部３１は、遊技に使用するパチンコ球と呼ばれる球を受ける容器であって、球を収容する部分を上方に開口した上方から下方に窪む窪みとして有する。発射操作機構３２は、遊技者が球を発射するために操作するものである。球皿構造体６の裏面には、球取入口３３および球供給口３４が設けられる。球取入口３３は、払出球中継樋２７から排出された球を球皿部３１に供給する部分である。球供給口３４は、球皿部３１から球発射機構２４に球を供給する部分である。
【００２２】
遊技機枠１Ａでは、可動枠３や扉５および球皿構造体６が閉じられてロック機構１１乃至１３で開閉不能に支持された場合、遊技店の店員が図外のキープレート（鍵）を遊技機枠１Ａの前側から施錠装置１０の鍵穴３５に挿入し、当該キープレートを例えば右側に９０度回転操作すると、固定枠２と可動枠３とのロック機構１１による支持形態が解除される。この支持形態の解除後に、店員が可動枠３を前側に引くことによって、可動枠３はヒンジ４を回転中心として前側に片開きされる。また、上記施錠装置１０の鍵穴３５に挿入されたキープレートが例えば左側に９０度回転操作されると、可動枠３と扉５とのロック機構１２による支持形態が解除される。この支持形態の解除後に、店員が扉５を前側に引くことによって、扉５はヒンジ７を回転中心として前側に片開きされる。このように、扉５が前側に開かれた状態において、店員が可動枠３の前面に設けられたロック解除操作体１４を操作すると、可動枠３と球皿構造体６とのロック機構１３による支持形態が解除される。この支持形態の解除後に、店員が球皿構造体６を前側に引くことによって、球皿構造体６はヒンジ７を回転中心として前側に片開きされる。
【００２３】
遊技盤４０の前面４０ａには、内ガイドレール３５ａと外ガイドレール３５ｂとからなるガイドレールが設けられ、ガイドレールで囲まれた内側の遊技領域４１には、始動入賞部品３６、一般入賞部品３７、可変入賞部品３８、飾り部品３９、サイドランプ飾り４２、遊技釘４３ａ、風車４３ｂ、アウト口４３ｃを備える。飾り部品３９は、センター飾りとも呼ばれる。内ガイドレール３５ａの左側部と外ガイドレール３５ｂの左側部との間に形成された隙間は、発射通路４４である。発射通路４４は、球発射機構２４から発射された球を遊技領域４１に誘導する。遊技盤４０の右側部には、盤側取付部４４ａが、上下に位置して設けられる。盤側取付部４４ａは、ロック挿入孔４４ｂを個別に備える。
【００２４】
前面４０ａおよび裏面４０ｂに部品を搭載した遊技盤４０は、遊技機枠１Ａに次のように装着される。図６のように、扉５が可動枠３の前側に開けられた状態において、遊技盤４０の前面が前側に向けられ、遊技盤４０の裏側が遊技機枠１Ａの方向に向けられ、遊技盤４０が可動枠３の前側から盤収納室１５に挿入され、遊技盤４０の下部が盤棚２２の上に載せられ、遊技盤４０の左側部が盤押圧体１８と盤受ストッパ１９との間に挿入され、遊技盤４０の左側部が盤押圧体１８で前側に押されつつ盤押圧体１８と盤受ストッパ１９とで前後方向から挟まれた後、遊技盤４０の右側部が作業者によって後側に押されると、盤ロック機構２０のロック操作体２１が盤側取付部４４ａのロック挿入孔４４ｂに後側から挿入されて前側に突出する。その状態において、作業者がロック操作体２１を例えば左側に９０度回転操作すると、ロック操作体２１がロック挿入孔４４ｂの周りにおける盤側取付部４４ａと係合し、遊技盤４０が可動枠３に取り付けられる。このように遊技盤４０が可動枠３に取り付けられた場合、遊技盤４０の裏面に設けられた球案内体４５、主制御装置４６、図外の演出制御ユニットが、中央開口部７５を経由して遊技盤収納構造体５１より裏側に突出する。
【００２５】
パチンコ機の電源装置１２１に設けられた電源スイッチ１２５（図４参照）の投入により、電源装置１２１から主制御装置４６、発射払出制御装置１２２、演出制御ユニットに電力が供給される。主制御装置４６が電源スイッチのオン動作に伴う電力供給で起動し、球が球皿部３１に入っている状態において、遊技者が発射操作機構３２を操作すると、発射払出制御装置１２２が発射機構２４を発射操作機構３２から出力された操作量に応じた発射力で例えば１分間に１から１００発未満までの所定数の間隔で駆動し、発射機構２４が球を１個ずつ遊技盤４０の発射通路４４に向けて発射する。発射通路４４に発射された球が、発射通路４４から球戻り防止弁４８を押し開けて遊技領域４１に到達した後に遊技領域４１を流下する過程において、いずれかの入賞部品に入賞したならば、図外の球検出器などから入賞検出信号が主制御装置４６に出力され、主制御装置４６が所定の入賞処理を行う。
【００２６】
最良の形態２
図５のａ図に示す上ストッパ５９を備えた筒状の結合部材５８を、図７のａ図のように、２つ割りした２つの半割り部材１３１；１３２により形成し、２つの半割り部材１３１；１３２を球出口部６７の横方向から球出口部６７の周囲を囲むように互いに向かい合わせ、図７のｂ図のように、半割り部材１３１；１３２のそれぞれの両端に設けられた締結部１３３；１３４同士を止ねじ１３５で締結することによって、球出口部６７に上ストッパ１３６を備えた結合部材１３７を設けるようにしてもよい。即ち、結合部材１３７が２つの半割り部材１３１；１３２により形成され、２つの半割り部材１３１；１３２が球出口部６７の横方向から球出口部６７の周囲を囲むように互いに向かい合わされて半割り部材１３１；１３２のそれぞれの両端が突き合わされ、割り部材１３１；１３２のそれぞれの両端に設けられた締結部１３３；１３４同士が止ねじ１３５で締結されたことによって、結合部材１３７が球出口部６７の外側に上下移動可能に取り付けられた構成とする。このような構成にすれば、球出口部６７を備えた連結樋５６を図５の外側部材９０と内側部材９１のように複数の部品に分割して形成する必要がなくなり、球出口部６７を備えた連結樋５６の構成を簡単にできる。
【産業上の利用可能性】
【００２７】
本発明の球払出装置５０は、遊技媒体として球を用いた遊技機としてのスロットマシンにも使用できる。
【図面の簡単な説明】
【００２８】
【図１】球払出装置の球出口部と球入口部との結合手順を示す図（最良の形態１）。
【図２】球払出装置の分解斜視図（最良の形態１）。
【図３】遊技盤収納構造体の裏面において球出口部と球入口部とが分離している状態を示す裏面図（最良の形態１）。
【図４】遊技盤収納構造体の裏面において球出口部と球入口部とが結合された状態を示す裏面図（最良の形態１）。
【図５】上ストッパを備えた結合部材と球出口部を備えた払出機構の連結樋とを分解した状態及び結合した状態を示す図（最良の形態１）。
【図６】パチンコ機の遊技機枠と遊技盤とを示す分解斜視図（最良の形態１）。
【図７】上ストッパを備えた結合部材と球出口部を備えた払出機構の連結樋とを分解した状態及び結合した状態を示す図（最良の形態２）。
【符号の説明】
【００２９】
５０    球払出装置
５１    遊技盤収納構造
５３    縦樋機構
５５    払出機構
５６    連結樋
５７    下ストッパ
５８    結合部材
５９    上ストッパ
６７    球出口部
７０    球入口部
９０    外側部材
９１    内側部材
１３１  半割り部材
１３２  半割り部材
１３３  締結部
１３４  締結部
１３５  止ねじ
【図１】
0004739854.tif 000002
【図２】
0004739854.tif 000003
【図３】
0004739854.tif 000004
【図４】
0004739854.tif 000005
【図５】
0004739854.tif 000006
【図６】
0004739854.tif 000007
【図７】
0004739854.tif 000008